(57)【要約】【課題】容器の使用に関する使用者の利便性を向上する。【解決手段】吐出口を含む先端部を有する容器を支持する容器支持物品であって、前記容器の前記先端部と係合するための係合部を有する容器受け部と、前記容器受け部が挿入される挿入穴と、前記容器受け部を介するノックに応じて、前記容器受け部が前記先端部と係合しない第１の位置と、前記容器受け部が前記先端部と係合する第２の位置と、の間で前記容器受け部を往復移動させるノック機構部と、を備える、容器支持物品。【選択図】図１
2019135169.tif 000002
【特許請求の範囲】
【請求項１】
吐出口を含む先端部を有する容器を支持する容器支持物品であって、
前記容器の前記先端部と係合するための係合部を有する容器受け部と、
前記容器受け部が挿入される挿入穴と、
前記容器受け部を介するノックに応じて、前記容器受け部が前記先端部と係合しない第１の位置と、前記容器受け部が前記先端部と係合する第２の位置と、の間で前記容器受け部を往復移動させるノック機構部と、
を備える、容器支持物品。
【請求項２】
前記第１の位置においては前記容器受け部の少なくとも一部が前記挿入穴から露出しており、前記第２の位置においては、前記容器受け部が前記第１の位置にあるときよりも、前記容器受け部が前記挿入穴に埋没している、請求項１に記載の容器支持物品。
【請求項３】
前記容器支持物品は、前記挿入穴の前記容器側に、前記挿入穴よりも径が大きい補助穴を有し、
前記補助穴の内周面には、前記補助穴の内周面の周方向に沿って連続的または断続的な突起が形成されている、請求項１または２に記載の容器支持物品。
【請求項４】
前記容器の先端部と前記容器の本体との間には、前記容器の先端部と前記容器の本体との間おいて径が最大となる張出部が形成され、
前記突起の頂部を結んで得られる領域の径は、前記張出部の径以下である、請求項３に記載の容器支持物品。
【請求項５】
前記係合部は、前記先端部の外周に係合するための外周係合部を含み、
前記外周係合部は、前記容器受け部が前記第１の位置にある状態においては前記先端部の外周に係合せず、前記容器受け部が前記第２の位置にある状態においては前記先端部の外周に係合する、請求項１〜４のいずれか一項に記載の容器支持物品。
【請求項６】
前記外周係合部は、前記挿入穴の軸の外側に向けて前記外周係合部が開くように付勢されており、
前記容器受け部が前記第１の位置にある状態においては前記外周係合部が前記挿入穴から露出することにより前記外周係合部は開かれ、
前記容器受け部が前記第２の位置にある状態においては前記外周係合部が前記挿入穴の内周面との当接により閉じられて前記先端部の外周に係合する、請求項５に記載の容器支持物品。
【請求項７】
前記容器受け部は、前記挿入穴の軸方向に沿って連続する第１の部材、および第２の部材を含み、
前記第１の部材は前記係合部を含み、
前記第２の部材は前記ノック機構部と連結されており、
前記第１の部材は前記第２の部材に着脱可能である、請求項１〜６のいずれか一項に記載の容器支持物品。
【請求項８】
前記係合部は、前記吐出口に嵌合するピンを含む、請求項１〜７のいずれか一項に記載の容器支持物品。
【請求項９】
前記容器支持物品は、前記挿入穴、前記容器受け部および前記ノック機構部を含む容器支持部を複数備える、請求項１〜８のいずれか一項に記載の容器支持物品。
【請求項１０】
複数の前記容器支持部の各々に含まれる前記容器受け部の前記第１の位置は、前記挿入穴の軸方向上で異なる位置である、請求項９に記載の容器支持物品。
【発明の詳細な説明】
【技術分野】
【０００１】
本発明は、容器支持物品に関する。
【背景技術】
【０００２】
内容物を収容する容器として、キャップが装着されたチューブ容器が普及している。使用者は、チューブ容器からキャップを取り外し、チューブ容器に圧力を加えることで、チューブ容器に内容物を吐出させることができる。使用者は、チューブ容器の使用終了後、再度キャップをチューブ容器に装着する。
【０００３】
特許文献１には、上記のようなチューブ容器を支持する容器スタンドが開示されている。特許文献１に記載の容器スタンドは上向きに開口した弾性体を有し、当該弾性体にチューブ容器のキャップを押し込みことによりチューブ容器が逆立状態で支持される。使用者が弾性体からチューブ容器を引き抜き、チューブ容器からキャップを取り外すことで、チューブ容器が内容物を吐出可能な状態となる。
【先行技術文献】
【特許文献】
【０００４】
【特許文献１】登録実用新案第３００３５３７号公報
【発明の概要】
【発明が解決しようとする課題】
【０００５】
しかし、上記の容器スタンドでは、チューブ容器の使用のために、チューブ容器と弾性体を着脱することに加え、チューブ容器とキャップを着脱する手間および時間がかかる。
【０００６】
本発明は、容器の使用に関する使用者の利便性を向上するための容器支持物品に関する。
【課題を解決するための手段】
【０００７】
上記課題を解決するために、本発明のある観点は、吐出口を含む先端部を有する容器を支持する容器支持物品であって、前記容器の前記先端部と係合するための係合部を有する容器受け部と、前記容器受け部が挿入される挿入穴と、前記容器受け部を介するノックに応じて、前記容器受け部が前記先端部と係合しない第１の位置と、前記容器受け部が前記先端部と係合する第２の位置と、の間で前記容器受け部を往復移動させるノック機構部と、を備える、容器支持物品に関する。
【発明の効果】
【０００８】
以上説明した本発明の容器支持物品によれば、容器の使用に関する使用者の利便性を向上することが可能である。
【図面の簡単な説明】
【０００９】
【図１】容器台およびチューブ容器の構成を示す説明図である。
【図２】本発明の実施形態による容器支持部の側面図である。
【図３】挿入穴の構成を示す説明図である。
【図４】本発明の実施形態による容器支持部の側面図である。
【図５】容器受け部の第１の部材を示す説明図である。
【図６】容器受け部の第２の部材を示す説明図である。
【図７】回転部を示す説明図である。
【図８】容器支持部の断面図である。
【図９】容器受け部が第１の位置から第２の位置へ移動する過程を示す説明図である。
【図１０】容器受け部が第１の位置から第２の位置へ移動する過程を示す説明図である。
【図１１】容器受け部が第２の位置から第１の位置へ移動する過程を示す説明図である。
【図１２】変形例による容器台の構成を示す説明図である。
【発明を実施するための形態】
【００１０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１１】
＜１．容器台の構成＞
本発明の実施形態は、内容物を収容する容器を支持する容器支持物品に関する。以下では、容器支持物品の一例として、チューブ容器を逆立状態で支持する容器台の構成を説明する。
【００１２】
図１は、容器台１およびチューブ容器２０の構成を示す説明図である。図１に示したように、容器台１はチューブ容器２０を逆立状態で支持する。チューブ容器２０は、容器本体２１およびアダプタ２２を有する。容器本体２１は内容物を収容する部分である。内容物の種類は特に限定されず、内容物は、乳液、ＵＶクリーム、下地化粧品、液体ファンデーションおびハンドクリームなどの化粧品であってもよい。また、内容物は、ボディソープ、ハンドソープ、シャンプー、リンス、トリートメント、染色剤（例えば染毛剤）、香水、飲料液または食品（例えば、醤油、味噌、酢等の調味料）であってもよい。また、本明細書では容器の一例としてチューブ容器２０を主に説明するが、本発明の実施形態に適用される容器はチューブ容器２０に限られず、ボトル容器のような他の容器も本発明の実施形態に適用可能である。
【００１３】
アダプタ２２は、容器本体２１に装着される部材である。アダプタ２２は、例えば、容器本体２１に形成された螺合面に螺合することにより容器本体２１に装着され得る。このようなアダプタ２２は、図１に示したように、チューブ容器２０の軸方向に延出する軸部２３、および軸部２３の先端に位置し、軸部２３よりも径が大きい先端部２４を有する。先端部２４には、内容物が吐出される吐出口２４ａが形成される。なお、アダプタ２２は、チューブ容器２０の販売時に容器本体２１に装着されている部材であってもよいし、チューブ容器２０の販売時には容器本体２１に別のキャップが装着されており、当該キャップと付け替えられる部材であってもよい。または、容器本体２１には、軸部２３および先端部２４を有する部分が一体構成されていてもよい。
【００１４】
上述したチューブ容器２０を支持する容器台１は、図１に示したように、基面５、容器受け面６および複数の容器支持部１０を有する。基面５は、容器台１が置かれる載置面に対向する面である。容器受け面６は、チューブ容器２０が着脱される側の面である。図１に示した例では、容器受け面６の基面５からの高さは、複数の容器支持部１０が並ぶ方向に沿って変化している。かかる構成によれば、複数の容器支持部１０の各々に支持されるチューブ容器２０が存在する高さの範囲が相違する。このため、使用者が、当該高さの範囲の相違も手掛かりの一つにして複数のチューブ容器２０から所望のチューブ容器２０を認識することが可能となる。
【００１５】
容器支持部１０は、チューブ容器２０を着脱可能に支持するための構成である。本実施形態による容器支持部１０は、チューブ容器２０を介するノックに応じて、チューブ容器２０の支持状態を変化させる。以下、図２〜図４を参照し、容器支持部１０の構成を説明する。
【００１６】
＜２．容器支持部の構成＞
図２は、本発明の実施形態による容器支持部１０の側面図である。図２に示したように、容器台１の内壁により形成される空間として、補助穴３０および挿入穴４０を有する。本明細書では、補助穴３０および挿入穴４０の軸方向を上下方向と称し、挿入穴４０から見た補助穴３０の方向を上方向と称し、その逆を下方向と称する。
【００１７】
補助穴３０は、図２に示したように、挿入穴４０の径よりも大きな径を有する。また、補助穴３０は、アダプタ２２において径が最大となる張出部２２ａよりも大きな径を有する。補助穴３０に挿入されたアダプタ２２が補助穴３０の内周面に当接することにより、チューブ容器２０の傾倒が防止される。また、補助穴３０の内周面には、補助穴３０の内周面の周方向に沿って断続的な突起３２が形成されている。各突起３２は、補助穴３０の軸方向と交差する方向に突出する。変形例として、当該突起３２は、補助穴３０の補助穴３０の内周面の周方向に沿って連続的に形成されていてもよい。
【００１８】
また、容器支持部１０は、補助穴３０および挿入穴４０などに設けられる構成として、容器受け部１００、回転部１３０、バネ１４０および蓋部１５０を有する。
【００１９】
容器受け部１００は、第１の部材１１０および第２の部材１２０から構成される。第１の部材１１０は、円筒部１１４、および円筒部１１４の上端から延出する複数の爪１１２を有する。複数の爪１１２は、アダプタ２２の先端部２４の外周に係合するための外周係合部の一例である。複数の爪１１２は、挿入穴４０の軸の外側に向けて開くよう付勢されている。図２に示した状態では、複数の爪１１２が開いており、複数の爪１１２が先端部２４の外周に係合していない。複数の爪１１２が閉まると、複数の爪１１２が先端部２４の外周に係合する。なお、複数の爪１１２は、爪１１２が開閉するための柔軟性の観点から、ＰＰ（ポリプロピレン）、ＰＥＴ（ポリエチレンテレフタラート）またはＬＤＰＥ（低密度ポリエチレン）等で形成されてもよい。
【００２０】
第２の部材１２０は、回転部１３０に連結されている部材である。第２の部材１２０は、外周面に凸部１２２を等間隔に有する。当該凸部１２２が、挿入穴４０における容器受け部１００の昇降をガイドする。図３を参照し、当該凸部１２２と挿入穴４０との関係を説明する。
【００２１】
図３は、挿入穴４０の構成を示す説明図である。図３においては、容器受け部１００、回転部１３０、バネ１４０および蓋部１５０の記載を省略している。図３に示したように、挿入穴４０の内周面には、上下方向に沿って複数の溝４２が形成されている。当該溝４２に第２の部材１２０の凸部１２２が嵌合し、凸部１２２が溝４２に沿って摺動することにより、挿入穴４０における容器受け部１００の昇降が実現される。また、挿入穴４０の内周面には、斜面４４ａおよび段差４４ｂが交互に形成される。溝４２の両側の下端は、それぞれ、ある斜面４４ａの端部、および他の斜面４４ａの端部に一致する。
【００２２】
回転部１３０およびバネ１４０は、チューブ容器２０のノックに応じて容器受け部１００を上下方向に沿って往復移動させるノック機構部である。回転部１３０は、挿入穴４０の軸周りに回転可能な部材であり、バネ１４０により上方向に付勢されている。また、回転部１３０の外周面には、上下方向に沿って複数の羽根部１３２が等間隔に形成されている。バネ１４０は、弾性部材の一例である。バネ１４０の位置の安定性を高めるために、バネ１４０の中心軸にはピン１４２が挿入されている。バネ１４０の一端は回転部１３０に当接し、バネ１４０の他端は蓋部１５０により当接する。なお、本明細書および図面においては、挿入穴４０が容器台１の基面５まで貫通し、挿入穴４０の基面５側の端を蓋部１５０が塞ぐ例を示しているが、挿入穴４０は容器台１の基面５まで貫通せず、挿入穴４０と基面５の間に容器台１の一部が挿入穴４０の底部として位置していてもよい。
【００２３】
ここで、上述した容器支持部１０の動作を簡単に説明する。図２に示した例では、容器受け部１００は、複数の爪１１２が挿入穴４０から露出しており、複数の爪１１２が先端部２４に係合しない第１の位置に存在する。図２に示した状態において、チューブ容器２０がノックされると、図４に示したように、容器受け部１００が下方向に移動し、複数の爪１１２が挿入穴４０に埋没した第２の位置で容器受け部１００が係止される。第２の位置においては、図４に示したように、複数の爪１１２が挿入穴４０の内周面に当接することにより閉じられて、複数の爪１１２が先端部２４の外周に係合する。図４に示した状態において、チューブ容器２０が容器支持部１０に安定的に支持される。
【００２４】
さらに、図４に示した状態においてチューブ容器２０がノックされると、容器受け部１００が図２に示した第１の位置に移動する。容器受け部１００の第１の位置への移動により複数の爪１１２が挿入穴４０から露出すると、複数の爪１１２に働く付勢力により複数の爪１１２が開き、複数の爪１１２と先端部２４の外周との係合が解除される。
【００２５】
なお、複数の容器支持部１０の各々に含まれる容器受け部１００の第１の位置は、挿入穴４０の軸方向上で異なる位置であってもよい。かかる構成により、各容器受け部１００により各チューブ容器２０の先端部２４が支持される高さに相違が生じる。このため、上述したように、使用者が、当該高さの範囲の相違も手掛かりの一つにして複数のチューブ容器２０から所望のチューブ容器２０を認識することが可能となる。
【００２６】
＜３．各部材の詳細な構成＞
以上、本発明の実施形態による容器支持部１０の構成および簡単な動作を説明した。続いて、容器支持部１０に含まれる各部材の構成をより詳細に説明する。
【００２７】
（第１の部材）
図５は、容器受け部１００の第１の部材１１０を示す説明図である。より具体的には、図５には、第１の部材１１０の平面図、側面図および底面図を示している。図５に示したように、第１の部材１１０は、複数の爪１１２、ピン１１３、円筒部１１４および２つの突起１１６を有する。
【００２８】
爪１１２は、上述したように、アダプタ２２の先端部２４の外周に係合するための構成である。図５においては６つの爪１１２を示しているが、爪１１２の数は６つに限定されない。爪１１２の数は２つであってもよいし、３つまたは５つなどの奇数であってもよいし、７つ以上であってもよい。
【００２９】
ピン１１３は、アダプタ２２の先端部２４に係合する係合部の一例であり、先端部２４の吐出口２４ａに嵌合する。ピン１１３が吐出口２４ａに嵌合することにより、吐出口２４ａからの内容物の漏れが抑制される。なお、チューブ容器２０の密閉性を一層高めるために、吐出口２４ａを囲う先端部２４の円周部に当接するリング部がピン１１３を囲うように形成されてもよい。
【００３０】
円筒部１１４の内周面には、底面図に示したように、２つの突起１１６が形成されている。２つの突起１１６は、円筒部１１４の内周面において対向する位置に形成されている。２つの突起１１６は、後述するように、第１の部材１１０と第２の部材１２０を連結する。
【００３１】
（第２の部材）
図６は、容器受け部１００の第２の部材１２０を示す説明図である。より具体的には、図６には、第２の部材１２０の平面図および側面図を示している。図６に示したように、第２の部材１２０は、基部１２１、４つの凸部１２２および連結部１２４を有する。
【００３２】
基部１２１は円筒形状を有し、基部１２１の径は、第１の部材１１０の円筒部１１４の径と略同一である。基部１２１の外周面には４つの凸部１２２が形成されている。また、基部１２１の下端面１２１ａは、基部１２１の軸周りの第１の方向に沿って高さが上がる第１の傾斜面、および第１の方向に沿って高さが下がる第２の傾斜面を交互に含む。
【００３３】
連結部１２４は、基部１２１から上方へ延出した部分である。連結部１２４は円筒形状を有し、連結部１２４の上面には開口１２５が形成される。連結部１２４の径は、基部１２１の径よりも小さい。連結部１２４の径と基部１２１の径との差分は、第１の部材１１０の円筒部１１４の厚みに対応してもよい。
【００３４】
連結部１２４の外周面には、螺旋形状を有する２組の摺動溝１２４ａが形成されている。図６の側面図に示したように、摺動溝１２４ａの終端には凹部１２４ｂが形成されている。第１の部材１１０の円筒部１１４に連結部１２４の先端を挿入した状態で、第１の部材１１０を第２の部材１２０に対して回転させることで、第１の部材１１０の２つの突起１１６が摺動溝１２４ａを摺動し、第１の部材１１０の２つの突起１１６が凹部１２４ｂに嵌合することにより、第１の部材１１０と第２の部材１２０が連結される。
【００３５】
（回転部）
図７は、回転部１３０を示す説明図である。より具体的には、図７には、回転部１３０の平面図および側面図を示している。図７に示したように、回転部１３０は、バネ受け部１３１、羽根部１３２、２つの突出部１３４および２つの係止部１３６を有する。
【００３６】
バネ受け部１３１は、天面部１３１ａを有する円筒形状を有し、天面部１３１ａの一側にバネ１４０が当接し、天面部１３１ａの他側に２つの突出部１３４が形成されている。バネ受け部１３１の外周面には４つの羽根部１３２が等間隔に形成されている。羽根部１３２の上面１３２ａは、天面部１３１ａに対して傾斜している。
【００３７】
２つの突出部１３４は、上方においてほど離隔するように形成される。突出部１３４の先端には、フック形状を有する係止部１３６が設けられる。係止部１３６は、第２の部材１２０の連結部１２４を係止する。以下、この点について図８を参照して具体的に説明する。
【００３８】
図８は、図２に示したＡ−Ａ線断面を示す説明図である。図８に示したように、回転部１３０の突出部１３４は、第２の部材１２０の開口１２５に遊挿される。突出部１３４が開口１２５に遊挿された状態において、連結部１２４の上面を係止部１３６が係止することにより、回転部１３０に対する連結部１２４の上昇が制限される。一方で、突出部１３４は連結部１２４の開口に遊挿されているので、突出部１３４は連結部１２４に対して回転可能である。すなわち、回転部１３０は、連結部１２４を有する第２の部材１２０に対して回転可能に第２の部材１２０と連結されている。
【００３９】
＜４．ノック機構の動作＞
以上、容器支持部１０に含まれる各部材の構成を詳細に説明した。続いて、図９〜図１１を参照し、本発明の実施形態によるノック機能の動作を説明する。
【００４０】
（第１の位置から第２の位置への移動）
図９および図１０は、容器受け部１００が第１の位置から第２の位置へ移動する過程を示す説明図である。図９の左図に示したように、容器受け部１００が第１の位置に存在する状態においては、凸部１２２が挿入穴４０の溝４２の上端に位置しており、基部１２１の下端面１２１ａが回転部１３０の羽根部１３２に当接している。容器受け部１００が第１の位置に存在する状態においては、図２を参照して説明したように複数の爪１１２が挿入穴４０から露出しており、複数の爪１１２に作用する付勢力により複数の爪１１２が開いている。この状態でチューブ容器２０が下方向に押される、またはノックされると、バネ１４０が圧縮され、容器受け部１００および回転部１３０が下降する。
【００４１】
そして、図９の右図に示したように、羽根部１３２の上面１３２ａが溝４２の側壁の下端よりも下降すると、上面１３２ａが斜面であることから上面１３２ａが下端面１２１ａの頂部を摺動し、同時に回転部１３０が容器受け部１００に対して回転する。すると、羽根部１３２の上面１３２ａが挿入穴４０の斜面４４ａ上に位置するようになる。その後、羽根部１３２の上面１３２ａが、バネ１４０から受ける上方への付勢力に応じて斜面４４ａを摺動することにより、回転部１３０が回転する。そして、図１０に示したように羽根部１３２が段差４４ｂに突き当たる。羽根部１３２が段差４４ｂに突き当たった状態において、基部１２１の下端面１２１ａの頂部が羽根部１３２の上面１３２ａに支持されることで、容器受け部１００が第２の位置に支持される。
【００４２】
このように容器受け部１００が第２の位置へ移動する過程で、複数の爪１１２が挿入穴４０に埋没する。このため、図４を参照して説明したように、複数の爪１１２が挿入穴４０の内周面に当接することにより閉じられて、複数の爪１１２が先端部２４の外周に係合する。
【００４３】
（第２の位置から第１の位置への移動）
図１０に示した、容器受け部１００が第２の位置に支持されている状態においてチューブ容器２０が下方向に押される、またはノックされると、基部１２１の下端面１２１ａの頂部が羽根部１３２の上面１３２ａを押しながら容器受け部１００および回転部１３０が下降する。
【００４４】
そして、図１１の左図に示したように、羽根部１３２の上面１３２ａが段差４４ｂの頂部よりも下降すると、上面１３２ａが基部１２１の下端面１２１ａの頂部を摺動し、同時に回転部１３０が容器受け部１００に対して回転する。すると、羽根部１３２の上面１３２ａが挿入穴４０の斜面４４ａ上に位置するようになり、その後、羽根部１３２の上面１３２ａが斜面４４ａを摺動し、羽根部１３２が溝４２に入り込む。結果、図１１の左図に示したように、バネ１４０の付勢力が回転部１３０を押し上げ、回転部１３０の羽根部１３２が容器受け部１００を第１の位置まで押し上げる。
【００４５】
容器受け部１００の第１の位置への移動により複数の爪１１２が挿入穴４０から露出すると、複数の爪１１２に働く付勢力により複数の爪１１２が開き、複数の爪１１２と先端部２４の外周との係合が解除される。これにより、使用者が容器支持部１０からチューブ容器２０を取り外すことが可能となる。
【００４６】
＜５．作用効果＞
以上説明した本発明の実施形態による容器台１の容器支持部１０によれば、多様な作用効果が得られる。
【００４７】
例えば、使用者は、チューブ容器２０をノックすることにより簡易にチューブ容器２０を容器台１から取り外すことが可能であり、チューブ容器２０を容器台１から取り外した後に、キャップの着脱無しにチューブ容器２０を使用することができる。かかる構成によれば、チューブ容器２０を使用するための使用者の手間および時間を軽減することが可能である。特に、近年の女性の社会進出に伴い、スキンケアおよび化粧を短時間かつ簡単に行いたいという女性のニーズが高まっている。本発明の実施形態によれば、チューブ容器２０の内容物に化粧品を適用することにより、上記のような女性のニーズを満たすことが可能である。また、使用者は、チューブ容器２０を容器台１に支持させる際のノック感に基づき、チューブ容器２０が容器台１にしっかり係合したという安心感を得ることが可能である。
【００４８】
また、チューブ容器２０を単独で机などに逆立させようとする場合、内容物の減少に伴いチューブ容器２０の逆立が困難になる。この点に関し、本発明の実施形態による容器台１においては、爪１１２が先端部２４に係合し、補助穴３０の内周面がチューブ容器２０の逆立を補助するので、内容物が減少してもチューブ容器２０を逆立姿勢で支持することが可能である。
【００４９】
また、本発明の実施形態によれば、チューブ容器２０を引き上げるのではなく、ノックによりチューブ容器２０を容器台１から取り外すことができる。すなわち、チューブ容器２０を引き上げる場合には、容器台１を載置面にネジなどで固定することが望まれるが、本発明の実施形態によれば、容器台１を載置面に固定しなくてもチューブ容器２０の着脱を実現することが可能である。
【００５０】
また、図５および図６を参照して説明したように、第１の部材１１０を第２の部材１２０に対して回転させることで、第１の部材１１０の２つの突起１１６が摺動溝１２４ａを摺動し、第１の部材１１０の２つの突起１１６が凹部１２４ｂに嵌合する。これにより、第１の部材１１０と第２の部材１２０とが連結される。このため、第１の部材１１０を第２の部材１２０に対して上記と逆方向に回転させることにより、第１の部材１１０を第２の部材１２０から容易に取り外すことが可能である。従って、使用者は、第１の部材１１０の爪１１２およびピン１１３の周辺などに汚れが溜った場合に、第１の部材１１０の取り外し、第１の部材１１０の洗浄、および第１の部材１１０と第２の部材１２０の連結を容易に行うことが可能である。
【００５１】
また、図２を参照して説明したように、補助穴３０の内周面には、補助穴３０の軸方向と交差する方向に沿って断続的な突起３２が形成されている。各突起３２の頂部を結んで得られる領域である円の径は、アダプタ２２の張出部２２ａの径以下である。このため、チューブ容器２０の取り外しのために使用者がチューブ容器２０をノックした際に、突起３２とアダプタ２２の張出部２２ａが接触する位置で、バネ１４０の付勢力に基づくチューブ容器２０の上昇が一度係止される。従って、本発明の実施形態によれば、チューブ容器２０が容器台１から飛び出してしまうことを抑制することが可能である。
【００５２】
＜６．変形例＞
以上、本発明の実施形態を説明した。以下では、本発明の実施形態の幾つかの変形例を説明する。なお、以下に説明する各変形例は、単独で本発明の実施形態に適用されてもよいし、組み合わせで本発明の実施形態に適用されてもよい。また、各変形例は、本発明の実施形態で説明した構成に代えて適用されてもよいし、本発明の実施形態で説明した構成に対して追加的に適用されてもよい。
【００５３】
（第１の変形例）
上記では、容器支持物品の一例として、複数の容器支持部１０を有する容器台１を説明したが、容器支持物品は、以下に説明するように、チューブ容器２０を支持するための構成として１つの容器支持部１０のみを有する容器台２であってもよい。
【００５４】
図１２は、変形例による容器台２の外観を示す説明図である。図１２に示したように、変形例による容器台２（２Ａ〜２Ｄ）は１つの容器支持部１０（１０Ａ〜１０Ｄ）を有し、複数の容器台２が連接するように配置される。各容器台２は、特に限定されない方法で結合していてもよい。例えば、各容器台２には磁石が設けられており、各容器台２の磁石が有する磁力により結合していてもよい。または、各容器台２は、凹部および凸部などの結合手段を有し、当該結合手段を介して他の容器台２と結合していてもよい。または、各容器台２は、接着シートまたは接着剤などの接着手段を介して他の容器台２と結合していてもよい。
【００５５】
このような容器台２によれば、使用者が、所望の数のチューブ容器２０が支持されるように、過不足なく容器台２を用意することが可能である。
【００５６】
（第２の変形例）
上記では、容器台１がチューブ容器２０を逆立姿勢で支持する例を説明したが、容器台１は、チューブ容器２０を他の姿勢で支持してもよい。
【００５７】
例えば、容器台１の基面５が壁に対向するように容器台１が壁に取り付けられてもよく、この場合、補助穴３０および挿入穴４０の軸方向が水平方向となり、チューブ容器２０が水平姿勢で支持される。
【００５８】
また、容器台１の基面５が部屋または化粧台などの天面に対向するように容器台１が天面に取り付けられてもよく、この場合、先端部２４と爪１１２との係合によりチューブ容器２０が爪１１２に吊り下げられる形態で、チューブ容器２０が支持される。チューブ容器２０が爪１１２に吊り下げられる形態においては、チューブ容器２０に作用する重力によりチューブ容器２０の姿勢が維持されるので、容器台１に補助穴３０が形成されなくてもよい。
【００５９】
（第３の変形例）
上記では、アダプタ２２の先端部２４の外周に係合する外周係合部の一例として爪１１２を説明したが、外周係合部は爪１１２に限定されない。例えば、第１の部材１１０の上端には、外周係合部として、エラストマーのような弾性部が設けられてもよい。容器受け部１００が第１の位置に存在する状態においては、弾性部は容器支持部１０の平面視において挿入穴４０よりも広がっており、容器受け部１００が第２の位置に移動すると、弾性部が挿入穴４０の内周面に押されながら挿入穴４０に埋没する。これにより、弾性部がアダプタ２２の先端部２４を包み込みように、弾性部と先端部２４が係合する。
【００６０】
＜７．補足＞
以上、添付図面を参照しながら本発明の好適な実施形態について詳細に説明したが、本発明の技術的範囲はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６１】
例えば、上記では第１の部材１１０と第２の部材１２０が分離構成される例を説明したが、第１の部材と第２の部材１２０は一体構成されてもよい。第１の部材と第２の部材１２０を一体構成することにより、製造工程を簡素化することが可能である。
【００６２】
また、容器台１に設けられる各容器支持部１０の補助穴３０および挿入穴４０などの大きさは、同一であってもよいし、異なってもよい。各容器支持部１０の補助穴３０および挿入穴４０などの大きさが異なる場合、容器台１は、多様な大きさのアダプタ２２が取り付けられたチューブ容器２０を支持することが可能である。
【符号の説明】
【００６３】
１、２  容器台
５  基面
６  容器受け面
１０  容器支持部
３０  補助穴
３２  突起
４０  挿入穴
４２  溝
４４ａ  斜面
４４ｂ  段差
１００  容器受け部
１１０  第１の部材
１１２  爪
１１３  ピン
１１４  円筒部
１１６  突起
１２０  第２の部材
１２１  基部
１２１ａ  下端面
１２２  凸部
１２４  連結部
１２４ａ  摺動溝
１２４ｂ  凹部
１２５  開口
１３０  回転部
１３１  バネ受け部
１３１ａ  天面部
１３２  羽根部
１３４  突出部
１３６  係止部
１４０  バネ
１４２  ピン
１５０  蓋部
【図１】
2019135169.tif 000003
【図２】
2019135169.tif 000004
【図３】
2019135169.tif 000005
【図４】
2019135169.tif 000006
【図５】
2019135169.tif 000007
【図６】
2019135169.tif 000008
【図７】
2019135169.tif 000009
【図８】
2019135169.tif 000010
【図９】
2019135169.tif 000011
【図１０】
2019135169.tif 000012
【図１１】
2019135169.tif 000013
【図１２】
2019135169.tif 000014